(57)【特許請求の範囲】
【請求項１】
除湿装置及び脱臭装置を含む吸着装置に用いられる直径２ｍ以上の吸着ロータであって、
放射状に延びる複数のフィンを有する基本フレームと、
前記基本フレームの内周側に円周状に配置された複数の六面体形状の内周側吸着ブロックと、前記内周側吸着ブロックの外周側に配置された複数の六面体形状の外周側吸着ブロックとを備え、
隣接する２つの前記フィンの間には、ｎ個（ｎ≧１）の内周側吸着ブロックとｍ個（ｍ≧ｎ）の外周側吸着ブロックとが配置され、
前記ｍ個の外周側吸着ブロックを１ユニットとして収納するユニット枠体をさらに備えた、
吸着ロータ。
【請求項２】
前記ユニット枠体の前記外周側吸着ブロックと対向する面には、ロータ軸方向の位置決めを行うための位置決め部が形成されており、
前記ｍ個の外周側吸着ブロックには、前記ユニット枠体の位置決め部に係合する係合部が形成されている、
請求項１に記載の吸着ロータ。
【請求項３】
除湿装置及び脱臭装置を含む吸着装置に用いられる直径２ｍ以上の吸着ロータであって、
放射状に延びる複数のフィンを有する基本フレームと、
前記基本フレームの内周側に円周状に配置された複数の六面体形状の内周側吸着ブロックと、前記内周側吸着ブロックの外周側に配置された複数の六面体形状の外周側吸着ブロックとを備え、
隣接する２つの前記フィンの間には、ｎ個（ｎ≧１）の内周側吸着ブロックとｍ個（ｍ≧ｎかつｍ≧２）の外周側吸着ブロックとが配置され、
前記ｍ個の外周側吸着ブロックは、隣接する外周側吸着ブロックと対向する側面に、互いに対向するように連結用溝が形成されており、
隣接する外周側吸着ブロックの前記連結用溝に嵌合する連結用部材をさらに備えた、
吸着ロータ。
【請求項４】
前記連結用部材によって連結された隣接する２つの吸着ブロックの間には、膨張吸収用の隙間が確保されている、請求項３に記載の吸着ロータ。
【請求項５】
除湿装置及び脱臭装置を含む吸着装置に用いられる直径２ｍ以上の吸着ロータであって、
放射状に延びる複数のフィンを有する基本フレームと、
前記基本フレームの隣接する２つのフィンの間に周方向に配置された複数の六面体形状の吸着ブロックと、
前記複数の吸着ブロックを１ユニットとして収納するユニット枠体と、
を備えた吸着ロータ。
【請求項６】
前記ユニット枠体の前記吸着ブロックと対向する面には、ロータ軸方向の位置決めを行うための位置決め部が形成されており、
前記複数の吸着ブロックには、前記ユニット枠体の位置決め部に係合する係合部が形成されている、
請求項５に記載の吸着ロータ。
【請求項７】
除湿装置及び脱臭装置を含む吸着装置に用いられる直径２ｍ以上の吸着ロータであって、
放射状に延びる複数のフィンを有する基本フレームと、
前記基本フレームの隣接する２つのフィンの間に周方向に配置された複数の六面体形状の吸着ブロックとを備え、
前記複数の吸着ブロックは、隣接する吸着ブロックと対向する側面に、互いに対向するように連結用溝が形成されており、
隣接する吸着ブロックの前記連結用溝に嵌合する連結用部材をさらに備えた、
吸着ロータ。
【請求項８】
前記連結用部材によって連結された隣接する２つの吸着ブロックの間には、膨張吸収用の隙間が確保されている、請求項７に記載の吸着ロータ。
【請求項９】
除湿装置及び脱臭装置を含む吸着装置であって、
請求項１から８のいずれかに記載の吸着ロータと、
前記吸着ロータが回転自在に収納されるケーシングと、
前記ケーシング内に、前記吸着ロータの一部の周方向領域の軸方向両側に形成される吸着部と、前記吸着ロータの他の周方向領域の軸方向両側に形成される再生部とが形成されるよう設けられた仕切壁と、
を備えた吸着装置。
【発明の詳細な説明】
【０００１】
【発明の属する技術分野】
本発明は、吸着ロータ、特に、除湿装置及び脱臭装置を含む吸着装置に用いられる吸着ロータに関する。また、本発明は、そのような吸着ロータを用いた吸着装置に関する。
【０００２】
【従来の技術】
除湿装置、脱臭装置等の吸着装置は、一般に、微粒子の活性炭、シリカゲル又はゼオライトを特殊成型してなるハニカム構造を有するハニカムロータを備えたものがある。この種の吸着装置は、ロータが回転自在に配置されるケーシングをさらに備えており、ケーシング内は、仕切壁により、ロータの所定領域の軸方向両側に形成された吸着ゾーンと、他の領域の軸方向両側に形成された再生ゾーンとに区分されている。
【０００３】
このような装置では、ロータは、モータ等に回転駆動されて吸着される領域と再生される領域とが連続的に変化することで、除湿、脱臭やロータの再生が連続的に行われる。
【０００４】
例えば除湿装置では、水分を十分に含んだ空気は、まず、吸着ゾーンに導かれ、回転するハニカムロータを通過する。このとき、空気中の水分はロータに吸着されて空気中から除去され、ロータからは乾燥した空気が吹き出る。これにより、室内に乾燥空気が供給される。そして、ロータの水分を吸着した領域は、回転して再生ゾーンに移動し、吸着ゾーンと逆方向から再生用空気（温風）が送り込まれる。これにより、ロータの水分を吸着した領域から水分が追い出され、ロータが再生される。
【０００５】
同様に脱臭装置では、吸着ゾーンでは、空気中の低濃度の有機ガス・悪臭等がロータに吸着されて空気中からこれらの物質が除去され、再生ゾーンでは、逆方向から外気が送り込まれることで有機ガス等がロータから除去される。
【０００６】
このような吸着装置に用いられる吸着ロータは、通常、放射状に延びる複数のフィンを有する基本フレームと、基本フレームに円周状に配置された複数の吸着ブロックとを備えている。複数の吸着ブロックはそれぞれ、隣接する２つのフィンの間に１つずつ配置され、フィンにより保持されている。
【０００７】
【発明が解決しようとする課題】
上記従来の吸着装置では、再生ゾーンで高温の空気が送り込まれる。このとき、吸着ブロックは、不燃性又は難燃性素材が用いられているため燃焼してしまうことはないが、高温の空気が吹き付けられることで熱膨張する。すると、ブロックを保持するフィンから反作用による押圧力を受け、クラックを生じる場合がある。このようなブロックの膨張は、再生ゾーンで高温の空気が吹き付けられる場合に限らず、吸着ゾーンで大量の水分が吸着される場合にも生じる。
【０００８】
そこで、このような問題点に鑑みて、隣接する２つのフィンの間に配置される吸着ブロックを、内周側に配置される内周側ブロックと、この内周側ブロックの外周側に配置される外周側ブロックとに分割した吸着ロータが既に提案されている。
【０００９】
このような吸着ロータによれば、従来より一般的な大きさのもの（直径２ｍ未満）においては、前記従来の吸着ロータに比べ各ブロックの膨張の程度を小さくでき、多少の程度は膨張してもクラックが生じる程の膨張は抑制することができる。
【００１０】
しかし、大型のロータ（直径２ｍ以上）では、外周側ブロックの周方向長さが内周側ブロックに比べ著しく大きく、このため、外周側ブロックの膨張の程度が大きくなり、クラックの発生を有効に抑えることができないという問題が生じていた。
【００１１】
本発明の目的は、複数の吸着ブロックを備えた吸着ロータにおいて、吸着ブロックの膨張の程度を小さくして、クラックの発生を抑えることにある。
【００１２】
【課題を解決するための手段】
請求項１に係る吸着ロータは、除湿装置及び脱臭装置を含む吸着装置に用いられる直径２ｍ以上のものであって、基本フレームと、複数の六面体形状の内周側及び外周側吸着ブロックとを備えている。基本フレームは、放射状に延びる複数のフィンを有する。複数の内周側吸着ブロックは、基本フレームの内周側に円周状に配置されている。複数の外周側吸着ブロックは、内周側吸着ブロックの外周側に配置されている。そして、隣接する２つのフィンの間には、ｎ個（ｎ≧１）の内周側吸着ブロックとｍ個（ｍ≧ｎ）の外周側吸着ブロックとが配置されている。
【００１３】
この吸着ロータでは、隣接する２つのフィンの間には、内周側ブロックと、この内周側ブロックの数より多い外周側ブロックとが配置されている。このような構成によれば、外周側に配置されるブロックの大きさを小さくすることができ、これにより、各ブロックの膨張の程度を小さく抑えてクラックの発生を抑えることができる。
【００１４】
また、請求項１に係る吸着ロータは、ｍ個の外周側吸着ブロックを１ユニットとして収納するユニット枠体をさらに備えている。
【００１５】
外周側ブロックは、その数が多くなると、運搬時の取り扱い性に欠け、また、吸着ロータの組み立て作業が煩雑になる。
【００１６】
そこで、この吸着ロータでは、そのような外周側ブロックをユニット枠体に１ユニットとして収納することにより、運搬時の取り扱い性を改善するとともに、組み立て時の作業が容易に行えるようにしている。
【００１７】
請求項２に係る吸着ロータは、請求項１の吸着ロータにおいて、ユニット枠体の外周側吸着ブロックと対向する面には、ロータ軸方向の位置決めを行うための位置決め部が形成されている。ｍ個の外周側吸着ブロックには、ユニット枠体の位置決め部に係合する係合部が形成されている。
【００１８】
吸着ロータは、吸着装置に取り付けられた状態では、通常、吸着ゾーンと再生ゾーンとの間でシールされる必要があり、このため、軸方向両側の面は、仕切壁から延びるシール部材に当接された状態となる。
【００１９】
しかし、外周側ブロックを分割してその数を増やすと、これらのブロックにより形成されるロータの軸方向側面が面一でなくなる場合が生じうる。このような場合、シール部材による安定したシール効果が得られなくなるおそれがある。
【００２０】
そこで、この吸着ロータでは、ユニット枠体に対し各ブロックの軸方向位置を位置決めすることにより、吸着ロータの軸方向両面を面位置に保ち、吸着装置に取り付けられた場合のシール部材による安定したシール効果が得られるようにしている。
【００２１】
請求項３に係る吸着ロータは、除湿装置及び脱臭装置を含む吸着装置に用いられる直径２ｍ以上のものであって、基本フレームと、複数の六面体形状の内周側及び外周側吸着ブロックとを備えている。基本フレームは、放射状に延びる複数のフィンを有する。複数の内周側吸着ブロックは、基本フレームの内周側に円周状に配置されている。複数の外周側吸着ブロックは、内周側吸着ブロックの外周側に配置されている。そして、隣接する２つのフィンの間には、ｎ個（ｎ≧１）の内周側吸着ブロックとｍ個（ｍ≧ｎかつｍ≧２）の外周側吸着ブロックとが配置されている。
【００２２】
また、請求項３に係る吸着ロータにおいて、ｍ個の外周側吸着ブロックは、隣接する外周側吸着ブロックと対向する側面に、互いに対向するように連結用溝が形成されている。また、隣接する外周側吸着ブロックの連結用溝に嵌合する連結用部材をさらに備えている。
【００２３】
外周側ブロックが分割されて内周側ブロックより数が多くなると、隣接するフィンに対し、片側の側面のみが当接しあるいは両側面とも当接しないブロックが存在することとなる。このような構成では、各外周側ブロックは、フィンからの支持が十分でないために、吸着装置に取り付けられて吸着ゾーン等で強い風圧を受けると、フレームから外れてしまう場合がある。
【００２４】
そこで、この吸着ロータでは、隣接する吸着ブロックの間に連結用溝を設け、この連結用溝に連結用部材を嵌合することで、隣接するブロック間の連結力を高め、除湿装置の稼働時に強い風圧を受けてもフィンの間から抜け落ちてしまうのを回避できるようにしている。
【００２５】
請求項４に係る吸着ロータは、請求項３の吸着ロータにおいて、連結用部材によって連結された隣接する２つのロータの間には、膨張吸収用の隙間が確保されている。
【００２６】
外周側ブロックは、分割された結果その大きさが小さくなっても、熱又は水分の吸収により多少の膨張が生じる。
【００２７】
そこで、この吸着ロータでは、隣接する吸着ブロック間に隙間を設けることで、かかる膨張を吸収して、ブロック側面に押圧力が作用するのを抑え、これにより、クラックが発生するのを抑えるようにしている。
【００２８】
請求項５に係る吸着ロータは、除湿装置及び脱臭装置を含む吸着装置に用いられる直径２ｍ以上のものであって、基本フレームと、複数の六面体形状の吸着ブロックとを備えている。基本フレームは、放射状に延びる複数のフィンを有する。複数の吸着ブロックは、基本フレームの隣接する２つのフィンの間に周方向に配置されている。
【００２９】
この吸着ロータでは、隣接する２つのフィンの間のブロックを分割してそれぞれの大きさを小さくすることにより、熱又は水分吸収による膨張の程度を小さくしてクラックの発生を抑えることができる。
【００３０】
また、請求項５に係る吸着ロータは、複数の吸着ブロックを１ユニットとして収納するユニット枠体をさらに有している。
【００３１】
ここでは、請求項１と同様の作用効果が得られる。
【００３２】
請求項６に係る吸着ロータは、請求項５の吸着ロータにおいて、ユニット枠体の吸着ブロックと対向する面には、ロータ軸方向の位置決めを行うための位置決め部が形成されている。複数の吸着ブロックには、ユニット枠体の位置決め部に係合する係合部が形成されている。
【００３３】
ここでは、請求項２と同様の作用効果が得られる。
【００３４】
請求項７に係る吸着ロータは、除湿装置及び脱臭装置を含む吸着装置に用いられる直径２ｍ以上のものであって、基本フレームと、複数の六面体形状の吸着ブロックとを備えている。基本フレームは、放射状に延びる複数のフィンを有する。複数の吸着ブロックは、基本フレームの隣接する２つのフィンの間に周方向に配置されている。
【００３５】
また、請求項７に係る吸着ロータにおいて、複数の吸着ブロックは、隣接する外周側吸着ブロックと対向する側面に、互いに対向するように連結用溝が形成されている。また、隣接する外周側吸着ブロックの連結用溝に嵌合する連結用部材をさらに備えている。
【００３６】
ここでは、請求項２と同様の作用効果が得られる。
【００３７】
請求項８に係る吸着ロータは、請求項７の吸着ロータにおいて、連結用部材によって連結された隣接する２つのロータの間には、膨張吸収用の隙間が確保されている。
【００３８】
ここでは、請求項４と同様の作用効果が得られる。
【００３９】
請求項９に係る吸着装置は、除湿装置及び脱臭装置を含む装置であって、吸着ロータと、ケーシングと、仕切壁とを備えている。吸着ロータは、請求項１から８のいずれかに記載のものである。ケーシングは、吸着ロータが回転自在に収納される。仕切壁は、ケーシング内に、吸着ロータの一部の周方向領域の軸方向両側に形成される吸着部と、吸着ロータの他の周方向領域の軸方向両側に形成される再生部とが形成されるよう設けられている。
【００４０】
この吸着装置では、隣接する２つのフィンの間に配置されるブロックの大きさが小さくなっているため、各ブロックの膨張の程度が小さくなり、これにより、クラックの発生が抑えられている。
【００４１】
【発明の実施の形態】
［除湿装置の全体構成］
図１に、本発明の一実施形態による除湿装置を示す。
【００４２】
この除湿装置は、空気中の水分を吸着して乾燥した空気を送り出すための装置であって、ケーシング１と、仕切壁３ａ，３ｂと、送風機５，６と、除湿ロータ２とを備えている。
【００４３】
ケーシング１は、内側に除湿ロータ２が回転自在に収納される枠体である。ケーシング１内には、除湿ロータ２を回転駆動するためのモータ４が配置されている。
【００４４】
仕切壁３ａ，３ｂは、ケーシング１内に、除湿ゾーンＴと再生ゾーンＲとを区分けするよう設けられる板状部分である。除湿ゾーンＴは、除湿ロータ２の一部の周方向領域の軸方向両側に形成され、再生ゾーンＲは、除湿ロータ２の他の周方向領域の軸方向両側に形成される。仕切壁３ａ，３ｂと除湿ロータ２との軸方向間には、各ゾーンＴ，Ｒの間での空気の漏れを防止するためのシール材８が設けられている。シール材８は、可撓性を有しており、先端部が除湿ロータ２の軸方向両側の面に当接している。なお、同様のシール材８は、ケーシング１内の隔壁１１、起立壁９及びケーシング内面１ａと、除湿ロータ２との間にも設けられている。
【００４５】
送風機５，６はそれぞれ、ケーシング１内に形成された除湿ゾーンＴ及び再生ゾーンＲでの空気の送風を行うためのものであり、各ゾーンＴ，Ｒの出口側（Ｔ２，Ｒ２）に設けられている。これらの送風機５，６は、除湿ロータ２に対し入口側（Ｔ１，Ｒ１）に設けられてもよい。再生ゾーンＲの再生用空気Ａ５の取入口には、ヒータ７が設けられており、除湿ロータ２に吹き込まれる空気を予熱する。
【００４６】
このように構成された除湿装置では、水分を含んだ空気Ａ１は、送風機５の作動により、まず、除湿ゾーンＴ１に導かれ、モータ４により回転駆動される除湿ロータ２を軸方向に通過する。このとき、空気中の水分は除湿ロータ２に吸着されることで空気中から除去され、除湿ゾーンＴ２では乾燥した空気Ａ２が吹き出る。この結果、室内に乾燥空気が供給される。
【００４７】
そして、水分を吸着した除湿ロータ２は、回転して再生ゾーンＲに移動し、除湿ゾーンと逆方向から予熱された再生用空気Ａ３が送り込まれる。これにより、水分を吸着した除湿ロータ２から水分が外気Ａ４中に追い出され、除湿ロータ２が再生される。
【００４８】
［除湿ロータ］
次に、除湿ロータ２について説明する。
【００４９】
除湿ロータ２は、回転軸２ｄを回転中心とするφ４２００程度の円柱状回転体であり、図３に示すように、基本フレーム３１と、複数のブロック２３，２５，２７とを備えている。
【００５０】
基本フレーム３１は、内周フレーム３２と、内周フレーム３２から放射状に延びる複数のフィン３３と、外周フレーム３４とを有している。フィン３３の軸方向端面には、ブロック２３，２５，２７の抜け防止のためのプレート３５が六角ボルト３６により固定されている。周方向に隣接する２つのフィン３３の間には、１個の内周側ブロック２３と、２個の中外周側ブロック２５と、３個の最外周側ブロック２７とが配置されている。
【００５１】
ブロック２３，２５，２７は、活性炭、シリカゲル及びセラミック等を特成型して得られる特殊紙を材質として形成されている。これにより、ブロック２３，２５，２７は、特殊紙で形成された波板紙及び平板紙を交互に貼着してなる段ボール紙を、回転軸２ｄを中心に同心円上に積層したような構造を有している。ブロック２３，２５，２７は、除湿ロータ２の一端面２ａから他端面２ｂに抜ける多数の通気孔を有するとともに、塩化リチウムなどの除湿剤が付加されている。
【００５２】
最外周側ブロック２７は、除湿ロータ２のφ３０００〜φ４２００の領域に配置されるよう形成され、中外周側ブロック２５は、除湿ロータ２のφ２０００〜φ３０００の領域に配置されるよう形成され、内周側ブロック２３は、除湿ロータ２のφ２０００未満の領域に配置されるよう形成されている。ここで、隣接する２つのフィン３３の間に配置される６個のブロック２３，２５，２７は、軸方向両側の表面の面積が互いにほぼ等しくなるよう形成されている。また、各ブロック２３，２５，２７のフィン３３に隣接する側面の軸方向両端部は、一部が切り欠かれて、基本フレーム３１のプレート３５に係止され、抜け止めされるよう
になっている。
【００５３】
最外周側ブロック２７は、最も外周側に配置されるブロックであり、２つのフィン３３の間に周方向に３個配置される。３個のブロック２７（図４参照）は、図５に示すユニット枠体５１の内側に収納されてフィン３３の間に配置される。３個のブロック２７はそれぞれ、隣接する他のブロック２７と対向する側面２７ａに、互いに対向する連結用溝２７ｂが形成されている。この連結用溝２７ｂに連結用部材５２が嵌め込まれることにより、ユニット枠体５１内で隣接するブロック２７同士が連結される。連結用部材５２としては、汎用されている角パイプが用いられる。また、連結用部材５２により連結された隣接する２つのブロック２７の間には、膨張吸収用の隙間Ｓが確保されている。
【００５４】
ユニット枠体５１のブロック２７と対向する面５１ａには、ブロック２７のロータ軸方向の位置決めを行うための位置決め部５１ｂが形成されている。ブロック２７には、ユニット枠体５１の位置決め部５１ｂに係合する係合部２７ｃが形成されている。
【００５５】
中外周側ブロック２５は、最外周側ブロック２７と内周側ブロック２３との間に配置されるブロックであり、隣接する２つのフィン３３の間に周方向２個配置されている。２個のブロック２５は、上記ユニット枠体５２と同様のユニット枠体内に収納された状態で隣接する２つのフィン３３の間に配置されている。２個のブロック２５はそれぞれ、隣接する他方の中外周側ブロック２５と対向する側面に、互いに対向するように上記連結用溝２７ｂと同様の連結用溝が形成されている。
【００５６】
内周側ブロック２３は、基本フレーム２１の最も内周側に円周状に配置されている。
【００５７】
除湿ロータ２は、除湿装置に取り付けられ稼働されると、除湿ゾーンでは水分を吸収し、再生ゾーンでは高温の空気が吹き付けられるため、ブロックは膨張を起こす。すると、フィン等の基本フレームからの反作用による押圧力を受けて、ブロックにクラックが生じる場合がある。
【００５８】
しかし、上記のように構成された除湿ロータ２では、隣接する２つのフィン３３の間には、内周側ブロック２３と、この内周側ブロック２３の数より多い中外周側ブロック２５、さらにはこの中外周側ブロック２５の数より多い最外周側ブロック２７とが配置されている。このような構成によれば、外周側に配置されるブロックの大きさを小さくすることができ、この結果、各ブロック２３，２５，２７の膨張の程度を小さくしてクラックの発生を抑えることができる。
【００５９】
また、この除湿ロータ２では、隣接するブロックの間に連結用溝を設け、この連結用溝に連結用部材を嵌め込むことで、隣接するブロック間の連結力を高め、除湿装置の稼働時に強い風圧を受けてもフィン３３の間から抜け落ちてしまうのを回避できるようにしている。
【００６０】
さらに、この除湿ロータ２では、隣接するブロックの間に隙間を設けることで、熱又は水分の吸収等による各ブロックの膨張を吸収して、ブロック側面に押圧力が作用するのを抑え、これにより、クラックが発生するのを抑えるようにしている。
【００６１】
また、この除湿ロータ２では、外周側ブロックをユニット枠体に１ユニットとして収納することにより、運搬時の取り扱い性を改善するとともに、組み立て時の作業が容易に行えるようにしている。
【００６２】
さらに、この除湿ロータ２は、ユニット枠体に対し各ブロックの軸方向位置を位置決めすることにより、除湿ロータの軸方向両面を面位置に保ち、除湿装置に取り付けられた場合のシール部材による安定したシール効果が得られるようにしている。
【００６３】
［他の実施形態］
（ａ）上記実施形態において、内周側ブロックの数は、外周側ブロックよりも少なければよく、隣接する２つのフィンの間に複数個配置されてもよい。
【００６４】
（ｂ）隣接する２つのフィンの間のブロックは、上記実施形態のように径方向に分割したものに限られず、例えば図６に示すように周方向に分割したもの（符号４５）であってもよい。この場合も、適宜、上述の連結用溝及び連結用部材、位置決め部及び係合部等を設けることにより、ブロックを分割したことで生じる不都合を解消できるとともに、上記実施形態と同様の作用効果が得られる。
【００６５】
（ｃ）本発明の吸着装置としては、除湿装置に限らず、脱臭装置等の他の吸着装置が用られてもよい。
【００６６】
【発明の効果】
本発明によれば、隣接する２つのフィンの間には、内周側ブロックと、この内周側ブロックの数より多い外周側ブロックとが配置されている。このような構成によれば、外周側に配置されるブロックの大きさを小さくすることができ、これにより、各ブロックの膨張の程度を小さく抑えてクラックの発生を抑えることができる。
【図面の簡単な説明】
【図１】  本発明の一実施形態による除湿装置を示す模式的な縦断面図。
【図２】  前記除湿装置の模式的なII−II線断面図。
【図３】  前記除湿装置に用いられる除湿ロータの模式的な平面図。
【図４】  前記除湿ロータの除湿ブロックを示す要部斜視図。
【図５】  前記除湿ロータの除湿ブロック及びユニット枠体を示す要部斜視図。
【図６】  本発明の他の実施形態による除湿ロータの模式的な平面図。
【符号の説明】
２  吸着ロータ
２３  内周側吸着ブロック
２５，２７  外周側吸着ブロック
２５ｂ，２７ｂ  連結用溝
２７ｃ  係合部
３１  基本フレーム
３３  フィン
５１  ユニット枠体
５１ｂ  位置決め部
５２  連結用部材
Ｓ  隙間
【図１】
0003948248.tif 000002
【図２】
0003948248.tif 000003
【図３】
0003948248.tif 000004
【図４】
0003948248.tif 000005
【図５】
0003948248.tif 000006
【図６】
0003948248.tif 000007